(57)【特許請求の範囲】
【請求項１】
Ｇ３方式でファクシミリ通信を行うファクシミリ装置に接続すべくなしてあり、デジタルデータ回線とのインタフェイス部と、Ｇ４ファクシミリ通信機能部と、音声信号コーデック部と、呼び出し音発生部と、前記ファクシミリ装置への接続を前記音声信号コーデック部と呼び出し音発生部とに切り換える切り換え部と、前記ファクシミリ装置の通信情報伝送用のバスと接続されるバスとを備えており、前記インタフェイス部にて前記デジタルデータ回線へＧ３ファクシミリ情報を発信する際に、電話番号の情報を、前記ファクシミリ装置のバスから前記バスを介して獲得するように構成したことを特徴とするＧ４ファクシミリアダプタ。
【請求項２】
前記インタフェイス部を介して前記デジタルデータ回線からＧ３ファクシミリ情報を受信する際に、前記切り換え部は、前記ファクシミリ装置への接続を前記呼び出し音発生部に切り換えるように構成したことを特徴とする請求項１記載のＧ４ファクシミリアダプタ。
【発明の詳細な説明】
【０００１】
【発明の属する技術分野】
本発明はファクシミリアダプタ、特にＧ３方式の既存のファクシミリ装置にＧ４方式の機能を付加するためのファクシミリアダプタに関する。
【０００２】
【従来の技術】
現在一般的なファクシミリ通信はＧ３方式であり、デジタルのファクシミリデータをモデムによりアナログ音声信号に変換し、一般の公衆回線を経由してデータを送受信する。これに対して、デジタルデータ回線、より具体的にはＩＳＤＮ（Integrated Services Digital Network)を使用し、デジタル形式のままでデータを送受信するＧ４方式が普及しつつある。このようなＧ４方式のファクシミリ通信を行うためには、専用のファクシミリ装置（一般的にはＧ３方式の通信も行える）を購入して使用することが基本であるが、既に使用中のＧ３方式のファクシミリ装置にＧ４方式を付加するためのアダプタ（Ｇ４ファクシミリアダプタ）も実用化されている。
【０００３】
以下、上述のような従来のＧ４ファクシミリアダプタについて、その基本的な構成例を、それが接続される既存のＧ３ファクシミリ装置と共に示す図４のブロック図を参照して説明する。
【０００４】
図４において参照符号100 は既存のＧ３ファクシミリ装置を示しており、これにＧ４ファクシミリアダプタ110 がバス接続される。即ち、既存のＧ３ファクシミリ装置100 のデータバス103 とＧ４ファクシミリアダプタ110 のデータバス25とが接続されている。なお、参照符号２はデジタルデータ回線としてのＩＳＤＮ回線を、参照符号３は通常のアナログ音声回線網である公衆電話交換網をそれぞれ示している。
【０００５】
Ｇ３ファクシミリ装置100 の構成自体は従来から公知であるため、図４ではＧ３モデム101 及びＮＣＵ（Network Control Unit：回線制御装置）102 のみを記している。このＧ３ファクシミリ装置100 では、ファクシミリ送信時に、図示されていない部分で生成されたデジタルのファクシミリデータをＧ３モデム101 がアナログの音声信号に変換し、その音声信号がＮＣＵ102 により公衆電話交換網３へ送信される。またファクシミリ受信時には、ＮＣＵ102 が公衆電話交換網３からアナログの音声信号を受信し、その音声信号をＧ３モデム101 がデジタルのファクシミリデータに変換する。
【０００６】
Ｇ４ファクシミリアダプタ110 は、ＩＳＤＮ回線２とのインタフェイス機能を司るＩＳＤＮインタフェイス部11と、アナログ音声信号とデジタルデータとの相互変換を行う音声信号コーデック部12と、ファクシミリデータとアナログ音声信号との相互変換を行うＧ３モデム26と、Ｇ４ファクシミリ機能部20とで構成されており、更に全体を制御するＣＰＵ13が備えられている。
【０００７】
ＩＳＤＮインタフェイス部11はＳ−interface 機能とＬＡＰ−Ｄ（Link Access Procedure on D-Channel）機能とで構成されている。Ｓ−interface は、Ｓ点のインタフェイスを意味しており、プロトコル処理機能, 保守機能, インタフェイス機能を含む。ＬＡＰ−Ｄ機能はＩＳＤＮのＤチャンネル用のプロトコルを制御する。
【０００８】
Ｇ４ファクシミリ機能部20は、ＩＳＤＮインタフェイス部11とＧ３ファクシミリ装置100 とを結ぶデータバス25に接続するＬＡＰ−Ｂ（Link Access Procedure Balanced）機能部21と、ＥＰ−ＲＯＭ22と、Ｓ−ＲＡＭ23とで構成されている。ＬＡＰ−Ｂ機能部21はＩＳＤＮのＢチャンネル用のプロトコルを制御して実際のデータ通信を行う。ＥＰ−ＲＯＭ22及びＳ−ＲＡＭ23はＣＰＵ13のプログラム, 制御用のデータ, 中間的なデータ等の記憶に用いられる。
【０００９】
【発明が解決しようとする課題】
ところで、上述のような従来のＧ４ファクシミリアダプタは、既存のＧ３ファクシミリ装置のデータバスに接続して使用するように構成されている。この場合、ＩＳＤＮを使用するＧ３ファクシミリ通信においても、既存のＧ３ファクシミリ装置のモデムは使用せずにＧ４ファクシミリアダプタ側のＧ３モデムを使用していた。従って、既存のＧ３ファクシミリ装置側のＧ３通信の手順は当然変更する必要が生じるため、ソフトウェアをそのように変更する必要があった。
【００１０】
更に、この場合にはＧ４ファクシミリアダプタ側のＧ３モデムを使用するため、既存のＧ３ファクシミリ装置でＧ３通信を行う場合にもユーザの操作が変更されることになり、ユーザにとっては煩わしい。なお更に、既存のＧ３ファクシミリ装置に備えられているＧ３モデムを使用せずにＧ４ファクシミリアダプタにもＧ３モデムを備える必要があるため、既存のＧ３ファクシミリ装置に備えられているＧ３モデムが無駄になり、全体として２つのＧ３モデムが備えられていてコストが高くなるという問題もあった。そこで、Ｇ４ファクシミリアダプタにはＧ３モデムを備えず、既存のＧ３ファクシミリ装置に既に備えられているＧ３モデムを使用するようにすれば、Ｇ４ファクシミリアダプタの製造コスト削減が可能になる。
【００１１】
本発明は斯かる事情に鑑みてなされたものであり、Ｇ３モデムを備えない構成とすることにより、上述した従来の種々の問題の解決を図れるＧ４ファクシミリアダプタの提供を目的とする。
【００１２】
【課題を解決するための手段】
本発明に係るＧ４ファクシミリアダプタは、Ｇ３方式でファクシミリ通信を行うファクシミリ装置に接続すべくなしてあり、デジタルデータ回線とのインタフェイス部と、Ｇ４ファクシミリ通信機能部と、音声信号コーデック部と、呼び出し音発生部と、前記ファクシミリ装置への接続を前記音声信号コーデック部と呼び出し音発生部とに切り換える切り換え部と、前記ファクシミリ装置の通信情報伝送用のバスと接続されるバスとを備えており、前記インタフェイス部にて前記デジタルデータ回線へＧ３ファクシミリ情報を発信する際に、電話番号の情報を、前記ファクシミリ装置のバスから前記バスを介して獲得するように構成したことを特徴とする。
【００１４】
更に、本発明に係るＧ４ファクシミリアダプタは、上述の構成において、前記インタフェイス部を介して前記デジタルデータ回線からＧ３ファクシミリ情報を受信する際に、前記切り換え部は、前記ファクシミリ装置への接続を前記呼び出し音発生部に切り換えるように構成したことを特徴とする。
【００１５】
本発明のＧ４ファクシミリアダプタでは、自身はＧ３モデムを備えることなく、既存のＧ３ファクシミリ装置のＧ３モデムを使用してＧ３ファクシミリ通信を行うことが可能になり、１個のＧ３モデムで対応可能となる。
【００１６】
【発明の実施の形態】
以下、本発明をその実施の形態を示す図面に基づいて詳述する。図１は、本発明に係るＧ４ファクシミリアダプタの構成例をそれが接続される既存のＧ３ファクシミリ装置と共に示すブロック図である。
【００１７】
図１において参照符号１は既存のＧ３ファクシミリ装置を示しており、このＧ３ファクシミリ装置１のデータバス103 に本発明のＧ４ファクシミリアダプタ10のデータバス25が直接接続されている。参照符号２はデジタルデータ回線としてのＩＳＤＮ回線である。参照符号24はデュアルポートＲＡＭ（ＤＰ−ＲＡＭ）であり、Ｇ３ファクシミリ装置１と本発明のＧ４ファクシミリアダプタ10との間でのデジタルデータの送受の際のバッファリングを行う。Ｇ３ファクシミリ装置１のオフフックの情報と電話番号の情報とは、このＤＰ−ＲＡＭ24を介して、Ｇ３ファクシミリ装置１からＧ４ファクシミリアダプタ10に送られる。
【００１８】
本発明のＧ４ファクシミリアダプタ10は、ＩＳＤＮ回線２とのインタフェイス機能を司るＩＳＤＮインタフェイス部11と、アナログ音声信号とデジタルデータとの相互変換を行う音声信号コーデック部12と、回線制御部14と、Ｇ４ファクシミリ機能部20と、全体を制御するＣＰＵ13とを有する。
【００１９】
ＩＳＤＮインタフェイス部11はＳ−interface 機能とＬＡＰ−Ｄ機能とで構成されている。Ｓ−interface は、Ｓ点のインタフェイスを意味しており、プロトコル処理機能, 保守機能, インタフェイス機能を含む。ＬＡＰ−Ｄ機能はＩＳＤＮのＤチャンネル用のプロトコルを制御する。
【００２０】
回線制御部14は、回線電流供給回路15と、トランス16と、呼び出し音発生部として機能する呼び出しベル電圧発生回路17と、切り換え部としてのリレースイッチ18とから構成されている。リレースイッチ18は、Ｇ３ファクシミリ装置１とＧ４ファクシミリアダプタ10との間の回線上に設けられ、Ｇ３ファクシミリ装置１への接続対象を、トランス16を介した音声信号コーデック部12と、呼び出しベル電圧発生回路17との間で切り換える。リレースイッチ18及びトランス16間の回線に回線電流供給回路15が接続されている。回線電流供給回路15は、回線に必要な電流を供給する。トランス16は、音声信号コーデック部12とＧ３ファクシミリ装置１との間での回線電流の切りわけを行う。呼び出しベル電圧発生回路17は、着信時にＣＰＵ13により制御されて呼び音を発生する。なお、以下の説明では、Ｇ３ファクシミリ装置１はＤＴＭＦ方式で発呼するものとして説明する。
【００２１】
Ｇ４ファクシミリ機能部20は、データバス25に接続されているＬＡＰ−Ｂ機能部21と、ＥＰ−ＲＯＭ22と、Ｓ−ＲＡＭ23とで構成されている。ＬＡＰ−Ｂ機能部21はＩＳＤＮのＢチャンネル用のプロトコルを制御して実際のデータ通信を行う。ＥＰ−ＲＯＭ22及びＳ−ＲＡＭ23はＣＰＵ 13 のプログラム, 制御用のデータ, 中間的なデータ等の記憶に用いられる。
【００２２】
このような本発明のＧ４ファクシミリアダプタ10では、送信時には既存のＧ３ファクシミリ装置１で発呼した電話番号をＤＰ−ＲＡＭ24を経由してＣＰＵ13に入力する。これに従って、ＣＰＵ 13 はＩＳＤＮインタフェイス部11のＬＡＰ−Ｄ機能を使用してＩＳＤＮ回線２へ発呼を行う。Ｇ３通信の場合、ファクシミリデータはＧ３ファクシミリ装置１からリレースイッチ18，トランス16, 音声信号コーデック部12, ＩＳＤＮインタフェイス部11を通り、ＩＳＤＮ回線２へ送出される。
【００２３】
また、Ｇ４ファクシミリ通信時には、Ｇ４ファクシミリ機能部20を介してＧ３ファクシミリ装置１とＩＳＤＮインタフェイス部11との間でデータの送受が行われ、その間にＬＡＰ−Ｂ機能部21によりファクシミリデータのパケット分解・組立てが行われる。
【００２４】
次に、本発明のＧ４ファクシミリアダプタ10によるＧ３ファクシミリ通信の受信時の動作について、その手順を示す図２のフローチャートを参照して説明する。なお、リレースイッチ18は、通常時には、トランス16側（図１で上側）と接続されている。
【００２５】
まず、ＩＳＤＮ回線２から着呼があると（ステップＳ１：YES)、ＣＰＵ13はまず経過識別子をチェックし、着呼した通信が音声信号であるか否かを調べる（ステップＳ２）。具体的には、着信時に外部から送られてくるベアラケイパビリティ（情報転送能力）が、3.1kHzオーディオであるか音声である場合には音声信号と判断され、非制限である場合にはＧ４信号であると判断される。そして、着呼した通信が音声信号以外であった場合（ステップＳ２：NO）、Ｇ４ファクシミリ通信であるとしてＣＰＵ13は、Ｇ４ファクシミリ機能部20での処理を行わせる。
【００２６】
一方、着呼した通信が音声信号であった場合（ステップＳ２：YES)、Ｇ３ファクシミリ通信であるとしてＣＰＵ13は、リレースイッチ18を呼び出しベル電圧発生回路17側（図１で下側）に切り換えた（ステップＳ３）後、呼び出しベル電圧発生回路17側に制御信号を送って呼び出しベルを鳴動させる（ステップＳ４）。
【００２７】
次に、ＣＰＵ13はＧ３ファクシミリ装置１がオフフック状態であるか否かを、ＤＰ−ＲＡＭ24からの情報に基づいて調べる（ステップＳ５）。オフフック状態である場合（ステップＳ５：YES)、即ちＧ３ファクシミリ装置１が自動着信モード（いわゆるＦＡＸ待機モードまたはＴＥＬ／ＦＡＸ待機モード）であって呼び出しベルに応答して自動的にオフフックした場合、または、Ｇ３ファクシミリ装置１が手動着信モード（いわゆるＴＥＬ待機モード）であっても手動操作によりオフフックした場合には、ＣＰＵ13は、リレースイッチ18をトランス16側に戻し（ステップＳ６）、呼び出しベル電圧発生回路17による呼び出しベルの鳴動を停止させる（ステップＳ７）。そして、Ｇ３ファクシミリ装置１によりＧ３ファクシミリ通信が実行される（ステップＳ８）。このＧ３ファクシミリ通信は、オフフック状態が継続している間に実行され、オンフック状態になると（ステップＳ９：YES)、ＩＳＤＮ通信が終了する。
【００２８】
一方、ステップＳ５においてオンフック状態であった場合には（ステップＳ５：NO）、所定時間経過時点において（ステップＳ10：YES)、ＣＰＵ13は呼び出しベル電圧発生回路17に呼び出しベルの鳴動を停止させ（ステップＳ11）、リレースイッチ18をトランス16側に戻す（ステップＳ12）。Ｇ３ファクシミリ装置１が自動着信しないモード（いわゆるＴＥＬ待機モード）に設定されている場合は、手動による操作が行われない限りはこのような動作になる。
【００２９】
次に、本発明のＧ４ファクシミリアダプタ10によるＧ３ファクシミリ送信の際の動作手順について図３のフローチャートを参照して説明する。
【００３０】
まず、Ｇ３ファクシミリ装置１からＤＰ−ＲＡＭ24を介してＧ３通信指令が入力されると（ステップＳ21：YES)、Ｇ３ファクシミリ装置１において設定された電話番号をＤＰ−ＲＡＭ24を介して受信し（ステップＳ22）、ＩＳＤＮインタフェイス部11のＬＡＰ−Ｄ機能に制御信号を送ってＩＳＤＮ回線２の呼設定を行い（ステップＳ23）、Ｇ３ファクシミリ通信を開始する（ステップＳ24）。このＧ３ファクシミリ通信は、ＤＰ−ＲＡＭ24を介してＧ３ファクシミリ装置１から終了指令が入力されるまで実行され、終了指令が入力されると（ステップＳ25：YES)、このＩＳＤＮ通信が終了する。
【００３１】
【発明の効果】
以上に詳述したように本発明のＧ４ファクシミリアダプタによれば、自身はＧ３モデムを備えることなしに、既存のＧ３ファクシミリ装置のＧ３モデムを使用してＧ３ファクシミリ通信を行うことが可能になるので、既存のＧ３ファクシミリ装置側のＧ３通信の手順、換言すればソフトウェアの変更は不要になると共に、既存のＧ３ファクシミリ装置でＧ３通信を行う場合にもユーザの操作を変更する必要もなくなる。更に、既存のＧ３ファクシミリ装置に備えられているＧ３モデムが無駄になることもなく、製造コスト削減が可能になる。
【図面の簡単な説明】
【図１】本発明に係るＧ４ファクシミリアダプタの構成例をそれが接続される既存のＧ３ファクシミリ装置と共に示すブロック図である。
【図２】本発明のＧ４ファクシミリアダプタによるＧ３ファクシミリ通信の受信時の動作手順を示すフローチャートである。
【図３】本発明のＧ４ファクシミリアダプタによるＧ３ファクシミリ通信の送信時の動作手順を示すフローチャートである。
【図４】従来のＧ４ファクシミリアダプタの構成例をそれが接続される既存のＧ３ファクシミリ装置と共に示すブロック図である。
【符号の説明】
１  Ｇ３ファクシミリ装置
２  ＩＳＤＮ回線
10  Ｇ４ファクシミリアダプタ
11  ＩＳＤＮインタフェイス部
12  音声信号コーデック部
13  ＣＰＵ
14  回線制御部
17  呼び出しベル電圧発生回路
18  リレースイッチ
20  Ｇ４ファクシミリ機能部
24  ＤＰ−ＲＡＭ
【図１】
0003658935.tif 000002
【図２】
0003658935.tif 000003
【図３】
0003658935.tif 000004
【図４】
0003658935.tif 000005